(57)【要約】      （修正有）【課題】確実に操作ができ、機器を傷付けないモバイル機器保護カバーの固定構造を提供する。【解決手段】結合部１、枠体２、調整部３と定位部４からなる。結合部１は、枠体２と調整部３を結合する。係合部１１上に、結合端部１２を凸設し、結合端部１２は、枠体２の結合孔中に嵌設され、枠体２内には、モバイル機器を装着することができる。係合部１１は可動部１４に鎖結することができ、可動部１４の一側に球端部１６を凸設して、調整部３の球槽中に枢設し、調整部３は、定位部４と相互に枢結される。【選択図】図２
0003176994.tif 000002
【実用新案登録請求の範囲】
【請求項１】
結合部と、枠体と、調整部とを有するモバイル機器の保護カバー固定構造であって、
前記結合部は、枠体と調整部を結合し、係合部、結合端部及び可動部から構成され、前記係合部の一側に少なくとも一つの結合端部を凸設し、前記結合端部は、前記枠体の結合孔中に嵌設され、前記係合部の他側は可動部を結合し、前記可動部は、調整部に枢設され、
前記枠体は、モバイル機器を保護し、枠体と結合孔から構成され、前記枠体はモバイル機器外を被覆し、枠体一側は少なくとも一つの結合孔を突設し、前記結合孔は、貫槽と側槽から構成され、前記貫槽は、前記結合部の結合端部が貫通し、前記貫槽の両側から外方に向かって、孔径が小さい側槽を延伸し、前記側槽は、前記結合端部が前記貫槽を貫通後、前記結合端部を係合し、
前記調整部は、少なくとも一つの支柱を設置し、前記支柱の一端と結合部の可動部は相互に枢設することを特徴とするモバイル機器の保護カバー固定構造。
【請求項２】
結合部と、枠体と、調整部とを有するモバイル機器保護カバーの固定構造であって、
前記結合部は、枠体と調整部を結合し、係合部、結合端部と可動部から構成され、係合部の一側上に結合槽を凹設し、前記係合部の他側は可動部を結合し、前記可動部は調整部上に枢設され、
前記枠体は、モバイル機器を保護し、枠体と結合孔から構成され、前記枠体はモバイル機器外を被覆し、前記枠体の一側は結合ブロックを設置し、前記結合ブロックは、結合部の結合槽内に嵌入され、
前記調整部は、少なくとも一つの支柱を設置し、前記支柱の一端と結合部の可動部は、相互に枢設されることを特徴とするモバイル機器の保護カバー固定構造。
【請求項３】
前記係合部上に固定孔を設置し、前記可動部上に固定部を凸設し、前記固定部は、固定孔中に鎖結され、前記可動部と前記係合部を結合することを特徴とする請求項1または2に記載のモバイル機器の保護カバー固定構造。
【請求項４】
前記結合部の前記可動部に球端部を凸設し、前記調整部の支柱一端は球槽を設置し、前記球端部は、前記球槽中に枢設され、前記球槽上に複数の長槽を均一に開設し、前記球槽の外周は、微調整螺紋を設置し、また、制御部を増設してもよく、前記制御部内に螺孔を設置し、前記螺孔は、微調整螺紋上に螺合されて、前記制御部が前記支柱上に螺結されると共に、前記制御部の旋轉により、前記微調整螺紋と前記螺孔の緊締を制御して、長槽を圧縮することにより、前記球槽内の球端部を固定又は緩和することを特徴とする請求項1または2に記載のモバイル機器の保護カバー固定構造。
【請求項５】
前記調整部の前記支柱の一端は定位部を設置し、前記定位部は、ベース、吸盤とプッシュボタンから構成され、前記ベースの一側は吸盤を設置し、前記ベース上の前記吸盤に対応する他側は、プッシュボタンを枢結し、前記プッシュボタンを押して、前記吸盤が物件上で吸着、解放されることを特徴とする請求項1または2に記載のモバイル機器の保護カバー固定構造。
【考案の詳細な説明】
【技術分野】
【０００１】
本考案は、モバイル機器の保護カバー固定構造に関するものであり、さらに詳しくは、モバイル機器を固定すると共に、所定物件上に固定するのに適する構造に関するものである。
【背景技術】
【０００２】
市販のモバイル機器、例えば、一台の携帯電話は、通話、メッセージ、音楽プレーヤー、ナビゲーション、撮影、録画、ゲームやネットワーク等の機能を有する。このような多機能を有するモバイル機器は、多くの場所で使用されているが、モバイル機器は往々にして、手部で持つ必要があり、このような情況下において、モバイル機器を固定する固定ベースが必要とされる。
【０００３】
従来の技術によれば、この固定ベース、例えば、公知の携帯可能な電子裝置の搭載フレーム構造は、底座と軸棒を含み、軸棒の一端と底座が連接する固定ベースと、軸棒のもう一端に設置されるトレイと、両端が固定ベースの軸棒に連接され、トレイと電気的に接続するアンテナとを含む。
【０００４】
このような構造において、電子裝置は、直接、搭載フレーム上に結合され、二者は直接接触するので、電子裝置表面に損傷や破壊の恐れがあり、また、固定方式も、各種電子装置に適するものではない。
【考案の概要】
【考案が解決しようとする課題】
【０００５】
従って、本考案の課題は、モバイル機器の保護カバーの固定構造を提供し、モバイル機器を簡便な操作で確実に、かつ効果的に固定して、電子裝置が、直接、搭載フレームに接触して生ずる電子裝置表面が損傷する問題を解決することにある。
【０００６】
そこで、本考案者は、前記の本考案の課題を解決するため鋭意検討を重ねた結果、後述するように、結合部と、枠体と、調製部とを組み合わせることにより、モバイル機器の電子装置の表面の損傷を防止、かつ、如何なる場所においても使用可能であることに着目し、かかる知見に基いて本考案に想到するに至った。
【課題を解決するための手段】
【０００７】
モバイル機器の保護カバー固定構造であって、結合部と、枠体と、調整部と、を含む。結合部は、枠体と調整部を結合し、係合部、結合端部と可動部から構成される。係合部の一側に、少なくとも一つの結合端部を凸設する。結合端部は、枠体の結合孔中に嵌設する。係合部の他側は可動部を結合する。可動部は、調整部上に枢設される。枠体は、モバイル機器を保護し、枠体と結合孔から構成される。枠体はモバイル機器の外側を被覆し、枠体の一側には、少なくとも一個の結合孔を穿設する。結合孔は、貫槽と側槽から構成され、貫槽は、結合部の結合端部が貫通し、貫槽両側から外方に、孔径が小さい側槽が延伸し、側槽は、結合端部が貫槽を貫通後、結合端部を係合する。調整部は少なくとも一つの支柱を有し、支柱の一端と結合部の可動部は互いに枢設する。
【０００８】
かくして、本考案によれば、結合部と、枠体と、調整部とを有するモバイル機器の保護カバー固定構造であって、
前記結合部は、枠体と調整部を結合し、係合部、結合端部及び可動部から構成され、前記係合部の一側上に少なくとも一つの結合端部を凸設し、前記結合端部は、前記枠体の結合孔中に嵌設され、前記係合部の他側は可動部を結合し、前記可動部は、調整部上に枢設され、
前記枠体は、モバイル機器を保護し、枠体と結合孔から構成され、前記枠体はモバイル機器外を被覆し、枠体一側は少なくとも一つの結合孔を突設し、前記結合孔は、貫槽と側槽から構成され、前記貫槽は、前記結合部の結合端部が貫通し、前記貫槽の両側から外方に向かって、孔径が小さい側槽を延伸し、前記側槽は、前記結合端部が前記貫槽を貫通後、前記結合端部を係合し、
前記調整部は、少なくとも一つの支柱を設置し、前記支柱の一端と結合部の可動部は相互に枢設することを特徴とするモバイル機器の保護カバー固定構造が提供される。
【０００９】
請求項２の考案によれば、結合部と、枠体と、調整部とを有するモバイル機器保護カバーの固定構造であって、
前記結合部は、枠体と調整部を結合し、係合部、結合端部と可動部から構成され、係合部の一側に結合槽を凹設し、前記係合部もう一側は可動部を結合し、前記可動部は調整部上に枢設され、
前記枠体は、モバイル機器を保護し、枠体と結合孔から構成され、前記枠体はモバイル機器外を被覆し、前記枠体の一側は結合ブロックを設置し、前記結合ブロックは、結合部の結合槽内に嵌入され、
前記調整部は、少なくとも一つの支柱を設置し、前記支柱の一端と結合部の可動部は、相互に枢設されることを特徴とするモバイル機器の保護カバー固定構造が提供される。
【００１０】
請求項３の考案によれば、前記係合部上に固定孔を設置し、前記可動部上に固定部を凸設し、前記固定部は、固定孔中に鎖結され、前記可動部と前記係合部を結合することを特徴とする請求項１または２に記載のモバイル機器の保護カバー固定構造が提供される。
【００１１】
請求項４の考案によれば、前記結合部の前記可動部に球端部部を凸設し、前記調整部の支柱一端は球槽を設置し、前記球端部部は、前記球槽中に枢設され、前記球槽上に複数の長槽を均一に開設し、前記球槽の外周は、微調整螺紋を設置し、また、制御部を増設してもよく、前記制御部内に螺孔を設置し、前記螺孔は、微調整螺紋上に螺合されて、前記制御部が前記支柱上に螺結されると共に、前記制御部の旋轉により、前記微調整螺紋と前記螺孔の緊締を制御して、長槽を圧縮することにより、前記球槽内の球端部部を固定又は緩和することを特徴とする請求項１または２に記載のモバイル機器の保護カバー固定構造が提供される。
【００１２】
請求項５の考案によれば、前記調整部の前記支柱の一端は定位部を設置し、前記定位部は、ベース、吸盤とプッシュボタンから構成され、前記ベースの一側は吸盤を設置し、前記ベース上の前記吸盤に対応する他側は、プッシュボタンを枢結し、前記プッシュボタンを押して、前記吸盤が物件上で吸着、解放されることを特徴とする請求項１または２に記載のモバイル機器の保護カバー固定構造が提供される。
【考案の効果】
【００１３】
本考案により、モバイル機器が多くの条件の異なる如何なる場所でも効果的に使用することができる。
【図面の簡単な説明】
【００１４】
【図１】本考案の一実施形態によるモバイル機器の保護カバー固定構造の分解斜視図である。
【図２】本考案の一実施形態によるモバイル機器の保護カバー固定構造の結合部と枠体の斜視図である。
【図３】本考案の一実施形態によるモバイル機器の保護カバー固定構造の結合部と枠体の一部断面図である。
【図４】本考案の一実施形態によるモバイル機器の保護カバー固定構造の定位部が窓ガラス上に吸着した状態の断面図である。
【図５】本考案の一実施形態によるモバイル機器の保護カバー固定構造の調整部の断面図である。
【図６】本考案の一実施形態によるモバイル機器の保護カバー固定構造の定位部のベースの立体図である。
【考案を実施するための最良の形態】
【００１５】
図１と図２に示されるように、本考案は、結合部１、枠体２、調整部３、定位部４、を含む。
【００１６】
結合部１は、枠体２と調整部３を結合する構造であり、係合部１１、結合端部１２、固定孔１３、可動部１４、固定部１５および球端部１６から構成される。係合部１１の一側は、枠体２と貼合する貼合面１１１で、貼合面１１１は軟性パッドである。貼合面１１１上に、一つまたは複数個のＴ形の結合端部１２を凸設し、結合端部１２は、枠体２の結合孔２２中に嵌設される。貼合面１１１のもう一端に対応する係合部１１上に、固定孔１３を設置し、さらに、可動部１４を設置している。可動部１４一側に、止滑面１４１を設置してもよい。止滑面１４１は、凹凸顆粒のある表面で、且つ、上に固定部１５を凸設している。固定部１５は固定孔１３中に固定して、可動部１４と係合部１１を結合する。止滑面１４１のもう一端に対応する可動部１４上に、球端部１６を凸設し、球端部１６は、調整部３の球槽３２中に枢設する。
【００１７】
枠体２は、モバイル機器を保護する構造で、枠体２１と結合孔２２から構成される。枠体２１は、モバイル機器の外周を被覆する。モバイル機器は、携帯電話、車両監視装置、カメラや撮影機材等である。枠体２１一側に、一つまたは複数個の結合孔２２を設置している。結合孔２２は、貫槽２２１と側槽２２２から構成される。貫槽２２１は、結合部１の結合端部１２が貫通し、貫槽２２１両側から外に向かって、孔径が小さい側槽２２２に延伸し、側槽２２２は、結合端部１２が貫槽２２１を貫通後、結合端部１２を係合する。即ち、結合部１の結合端部１２と枠体２の結合孔２２は、図３のように別の方式で結合してもよく、主に、係合部１１上に結合槽１７を設置し、フレーム２１上に結合ブロック２３を凸設する。結合槽１７は断面が台形の槽で、結合ブロック２３も断面が台形でもよく、結合ブロック２３を結合槽１７に嵌入して、係合部１１とフレーム２１を結合する。
【００１８】
調整部３は、角度を調整する構造で、図１、図２のように、支柱３１、球槽３２、長槽３３、微調整螺紋３４、制御部３５と螺孔３６から構成される。支柱３１一端は球槽３２を有し、球槽３２中に、結合部１の球端部部１６を枢結することができる。球端部部１６は球槽３２中で回転する。球槽３２上に、複数の長槽３３を均一に設け、球槽３２外周は、微調整螺紋３４、制御部３５を設置する。制御部３５内に螺孔３６を有し、螺孔３６は、微調整螺紋３４上に螺合し、制御部３５を支柱３１上に螺結すると共に、制御部３５の旋転により、微調整螺紋３４と螺孔３６の締結を制御することができる。長槽３３の圧縮により、球槽３２内の球端部１６を固定と解放を制御する。
【００１９】
定位部４は、所定物件を固定する底座で、ベース４１、吸盤４２とプッシュボタン４３から構成される。ベース４１の一側に吸盤４２を設置し、吸盤４２に対応するもう一側にプッシュボタン４３を枢設する。プッシュボタン４３は押すことにより、吸盤４２を一物件上に吸着させたり取り外したりできる。ベース４１上で、調整部３の支柱３１と枢結合してもよい。
【００２０】
図４に示されるように、本考案の実施形態によると、定位部４の吸盤４２を車両窓ガラス５上に吸着させ、枠体２のフレーム２１中に携帯電話を置けば、ドライバーは、車両内で、スピーカーやブルートゥースで通話でき、また、携帯電話のナビゲーション、撮影機能を、車両内のナビゲーション、走行記録等の機能として、携帯電話の使用における便利性を提供する。また、吸盤４２は、車両の側面ガラスに吸着させることもできるので、乗客は、車両内で、携帯電話のビデオ再生、閲読、インターネット等の機能を使用することができ、即ち、フレーム２１中に車両監視装置、カメラや撮影機等のその他のモバイル機器を設置すれば、車両内で、ナビゲーション、走行記録等の機能を達成することができる。また、吸盤４２はその他の平面上にも吸着できるので、テーブルに吸着すれば、撮影用の三脚としても使用でき、便利である。
【００２１】
図５に示されるように、本考案の実施形態は、結合部１と調整部３の間の角度調整を説明する。調整時、まず、調整部３の制御部３５内の螺孔３６とその球槽３２外の微調整螺紋３４を緩めると、結合部１の球端部部１６が、球槽３２内で３６０°の多方向旋転し、使用者が最適な角度に調整して、枠体２のフレーム２１中に設置されたモバイル機器を使用または見ることができる。
【００２２】
図１のように、結合部１の係合部１１は、必要時に可動部１４から取り外すことができ、係合部１１上の固定孔１３は、脚台に結合して使用できるので便利である。
【００２３】
図６のように、定位部４のベース４１は、定位座４４上に固設できる。定位座４４は、鉄等の金属でなり、ベース４１が平面上で安定する。
【００２４】
本考案は、モバイル機器を枠体と効果的に結合でき、且つ、調整部は、便利な多方向調整機能を有し、定位部が物件上に固定されて、モバイル機器が多くの場所で効果的に使用される。また、モバイル機器は、予め、枠体と結合してから、結合部上に結合されるので、モバイル機器が正確に枠体内に内包され、モバイル機器が結合部と直接接触しないので、表面が破壊されるようなことがない。
【００２５】
本考案では好ましい実施形態を前述の通り開示したが、これらは決して本考案を限定するものではなく、本考案の精神と領域を脱しない範囲内で各種の変動を加えることができ、従って本考案の保護範囲は、実用新案請求の範囲に記載した内容を基準として決定される。
【符号の説明】
【００２６】
１        結合部
１１      係合部
１１１    貼合面
１２      結合端部
１３      固定孔
１４      可動部
１４１    止滑面
１５      固定部
１６      球端部部
１７      結合槽
２        枠体
２１      フレーム
２２      結合孔
２２１    貫槽
２２２    側槽
２３      結合ブロック
３        調整部
３１      支柱
３２      球槽
３３      長槽
３４      微調整螺紋
３５      制御部
３６        螺孔
４          定位部
４１        ベース
４２        吸盤
４３        プッシュボタン  
４４        定位座
５          窓ガラス
【図１】
0003176994.tif 000003
【図２】
0003176994.tif 000004
【図３】
0003176994.tif 000005
【図４】
0003176994.tif 000006
【図５】
0003176994.tif 000007
【図６】
0003176994.tif 000008